(57)【特許請求の範囲】
【請求項１】
金種ごとに紙幣を収納する少なくとも１つ以上の第１の紙幣カセットと、
前記第１の紙幣カセットのうちの１つと同一金種の紙幣を収納する第２の紙幣カセットと、
前記第１の紙幣カセット及び前記第２の紙幣カセットに収納する紙幣とは分けて管理する紙幣を収納する第３の紙幣カセットと、
入金より出金の方が多い出金過多の場合に、同一金種の紙幣を収納する前記第１の紙幣カセットと前記第２の紙幣カセットとのうち、前記第２の紙幣カセットから優先的に紙幣を出金するよう制御する制御部と
を備え、
前記第１乃至第３の紙幣カセットのうち、前記第２の紙幣カセットと前記第３の紙幣カセットが交換対象となっていて、
前記制御部は、
前記第２の紙幣カセットと前記第３の紙幣カセットが、それぞれ紙幣が収納された状態の、新たな第２の紙幣カセットと新たな第３の紙幣カセットに交換されると、前記新たな第３の紙幣カセットに収納されている紙幣を、前記第１の紙幣カセットに移動させる
ことを特徴とする自動取引装置。
【請求項２】
前記第１の紙幣カセット及び前記第２の紙幣カセットには、入金と出金とでリサイクル可能なリサイクル紙幣が収納され、
前記第３の紙幣カセットには、リサイクルできないリサイクル不可紙幣が収納される
ことを特徴とする請求項１に記載の自動取引装置。
【請求項３】
紙幣を鑑別する鑑別部をさらに備え、
前記鑑別部によって前記リサイクル紙幣と判別された紙幣を、前記第１の紙幣カセット又は前記第２の紙幣カセットに収納し、前記リサイクル不可紙幣と判別された紙幣を、前記第３の紙幣カセットに収納する
ことを特徴とする請求項２に記載の自動取引装置。
【請求項４】
前記第３の紙幣カセットには、前記リサイクル不可紙幣のうち、前記鑑別部によって金種が特定された紙幣が収納され、
前記リサイクル不可紙幣のうち、前記鑑別部によって金種が特定されなかったリジェクト紙幣を収納するリジェクト庫をさらに備える
ことを特徴とする請求項３に記載の自動取引装置。
【請求項５】
前記制御部は、
前記第１の紙幣カセットに収納されている紙幣の枚数が所定枚数を超えない範囲で、前記新たな第３の紙幣カセットに収納されている紙幣を、前記第１の紙幣カセットに移動させる
ことを特徴とする請求項１〜４のいずれかに記載の自動取引装置。
【請求項６】
前記第１の紙幣カセットは、第１の金種の紙幣を収納する第１金種収納カセットと、第２の金種の紙幣を収納する第２金種収納カセットとでなり、
前記第２の紙幣カセットは、前記第１の金種の紙幣を収納する
ことを特徴とする請求項１〜５のいずれかに記載の自動取引装置。
【請求項７】
金種ごとに紙幣を収納する少なくとも１つ以上の第１の紙幣カセットと、
前記第１の紙幣カセットのうちの１つと同一金種の紙幣を収納する第２の紙幣カセットと、
前記第１の紙幣カセット及び前記第２の紙幣カセットに収納する紙幣とは分けて管理する紙幣を収納する第３の紙幣カセットと、
出金より入金の方が多い入金過多の場合に、同一金種の紙幣を収納する前記第１の紙幣カセットと前記第２の紙幣カセットとのうち、前記第２の紙幣カセットに優先的に紙幣を入金するよう制御する制御部と
を備え、
前記第１乃至第３の紙幣カセットのうち、前記第２の紙幣カセットと前記第３の紙幣カセットが交換対象となっていて、
前記制御部は、
操作表示部の操作に応じて入金過多用の装填回収処理を行うことにより前記第１の紙幣カセットに収納されている紙幣を前記第３の紙幣カセットに移動させ、その後、前記第２の紙幣カセットと前記第３の紙幣カセットが、それぞれ新たな第２の紙幣カセットと新たな第３の紙幣カセットに交換される
ことを特徴とする自動取引装置。
【請求項８】
前記第１の紙幣カセット及び前記第２の紙幣カセットには、入金と出金とでリサイクル可能なリサイクル紙幣が収納され、
前記第３の紙幣カセットには、リサイクルできないリサイクル不可紙幣が収納される
ことを特徴とする請求項７に記載の自動取引装置。
【請求項９】
紙幣を鑑別する鑑別部をさらに備え、
前記鑑別部によって前記リサイクル紙幣と判別された紙幣を、前記第１の紙幣カセット又は前記第２の紙幣カセットに収納し、前記リサイクル不可紙幣と判別された紙幣を、前記第３の紙幣カセットに収納する
ことを特徴とする請求項８に記載の自動取引装置。
【請求項１０】
前記第３の紙幣カセットには、前記リサイクル不可紙幣のうち、前記鑑別部によって金種が特定された紙幣が収納され、
前記リサイクル不可紙幣のうち、前記鑑別部によって金種が特定されなかったリジェクト紙幣を収納するリジェクト庫をさらに備える
ことを特徴とする請求項９に記載の自動取引装置。
【請求項１１】
前記制御部は、
前記第１の紙幣カセットに収納されている紙幣の枚数が所定枚数以下にならない範囲で、前記第１の紙幣カセットに収納されている紙幣を、前記第３の紙幣カセットに移動させる
ことを特徴とする請求項７〜１０のいずれかに記載の自動取引装置。
【請求項１２】
前記第１の紙幣カセットは、第１の金種の紙幣を収納する第１金種収納カセットと、第２の金種の紙幣を収納する第２金種収納カセットとでなり、
前記第２の紙幣カセットは、前記第１の金種の紙幣を収納する
ことを特徴とする請求項７〜１１のいずれかに記載の自動取引装置。
【発明の詳細な説明】
【技術分野】
【０００１】
本発明は、自動取引装置に関するものであり、例えば、複数の紙幣カセットを有する現金自動預払機（ＡＴＭ：Automatic  Teller  Machine）に適用して好適なものである。
【背景技術】
【０００２】
従来、金融機関などで使用される現金自動預払機は、例えば、利用者との間で入金紙幣及び出金紙幣の授受を行う入出金部と、紙幣の金種、真偽などを鑑別する鑑別部と、紙幣を一時的に保留する一時保留部と、紙幣を金種ごとに収納する複数の紙幣カセットと、搬送路を介して紙幣を各部へと搬送する搬送部と、鑑別部によって異常判定された紙幣（これをリジェクト紙幣と呼ぶ）を収納するリジェクト庫とを有している。
【０００３】
このような現金自動預払機では、内部の紙幣を紙幣カセットごと交換することで、紙幣カセットが空になって紙幣を出金できなくなったり、紙幣カセットが満杯になって紙幣を入金できなくなったりする状況を回避するようになっている（例えば特許文献１参照）。
【０００４】
ここで、従来の現金自動預払機での紙幣カセットの交換手順について、図８を用いて説明する。図８（Ａ）に示すように、従来の現金自動預払機２００は、例えば、４個の紙幣カセット２０１（２０１Ａ〜２０１Ｄ）と、１個のリジェクト庫２０２を有している。尚、図８は、入出金部、鑑別部などは、省略した図となっている。
【０００５】
４個の紙幣カセット２０１Ａ〜２０１Ｄは、現金自動預払機２００の前後方向に並べて配置されていて、これら４個の紙幣カセット２０１Ａ〜２０１Ｄのそれぞれに、対応する金種の紙幣が上下方向に集積されるようになっている。ここでは、一例として、１番前の紙幣カセット２０１Ａと３番目の紙幣カセット２０１Ｃが一万円券、２番目の紙幣カセット２０１Ｂと１番後の紙幣カセット２０１Ｄが千円券を収納する紙幣カセットとなっている。また、これら４個の紙幣カセット２０１Ａ〜２０１Ｄは、現金自動預払機２００の後部から、現金自動預払機２００の前方または後方に引き出して交換できるようになっている。
【０００６】
現金自動預払機２００では、例えば入金取引より出金取引の方が多い出金過多の場合、紙幣カセット２０１Ａ〜２０１Ｄのそれぞれに収納されている紙幣が残り少なくなったタイミングで、紙幣カセット２０１Ａ〜２０１Ｄを、現金自動預払機２００に装填する紙幣が収納された新たな紙幣カセット２０１Ａ´〜２０１Ｄ´に紙幣カセットごと交換するようになっている。
【０００７】
この場合、まず、図８（Ｂ）に示すように、警備員が、紙幣カセット２０１Ａ´〜２０１Ｄ´を運搬ケース２０３（２０３Ａ、２０３Ｂ）に入れて現金自動預払機２００の設置場所まで運び、現金自動預払機２００の紙幣カセット２０１Ａ〜２０１Ｄに収納されている紙幣を回収する為に、これら紙幣カセット２０１Ａ〜２０１Ｄを現金自動預払機２００から取り出す。尚、運搬ケース２０３は、例えば１個につき２個の紙幣カセット２０１を収納できるタイプであり、ここでは、一万円券が収納されている紙幣カセット２０１Ａ´、２０１Ｃ´が運搬ケース２０３Ａに入れられ、千円券が収納されている紙幣カセット２０１Ｂ´、２０１Ｄ´が運搬ケース２０３Ｂに入れられて運ばれてくるものとする。
【０００８】
次に、図８（Ｃ）に示すように、警備員は、運搬ケース２０３Ａ、２０３Ｂから、紙幣カセット２０１Ａ´〜２０１Ｄ´を取り出して、これらを現金自動預払機２００にセットする。これにより現金自動預払機２００に新たな紙幣が装填される。その後、図８（Ｄ）に示すように、警備員は、現金自動預払機２００から取り出した紙幣カセット２０１Ａ〜２０１Ｄを、空になった運搬ケース２０３Ａ、２０３Ｂに入れて持ち帰る。現金自動預払機２００では、このような交換手順で紙幣カセット２０１を交換するようになっている。
【先行技術文献】
【特許文献】
【０００９】
【特許文献１】特開２０１５−１８４９７７号公報
【発明の概要】
【発明が解決しようとする課題】
【００１０】
しかしながら、従来の現金自動預払機では、例えば出金過多の場合、複数の紙幣カセットの中に、紙幣がまだ十分残っていて交換しなくてもよい紙幣カセットがあったとしても、全ての紙幣カセットを交換する為、紙幣カセットの交換が効率的ではないという問題を有していた。
【００１１】
本発明は以上の点を考慮したもので、紙幣カセットをより効率的に交換できる自動取引装置を提案しようとするものである。
【課題を解決するための手段】
【００１２】
かかる課題を解決するため本発明においては、金種ごとに紙幣を収納する少なくとも１つ以上の第１の紙幣カセットと、前記第１の紙幣カセットのうちの１つと同一金種の紙幣を収納する第２の紙幣カセットと、前記第１の紙幣カセット及び前記第２の紙幣カセットに収納する紙幣とは分けて管理する紙幣を収納する第３の紙幣カセットと、入金より出金の方が多い出金過多の場合に、同一金種の紙幣を収納する前記第１の紙幣カセットと前記第２の紙幣カセットとのうち、前記第２の紙幣カセットから優先的に紙幣を出金するよう制御する制御部とを備え、前記第１乃至第３の紙幣カセットのうち、前記第２の紙幣カセットと前記第３の紙幣カセットが交換対象となっていて、前記制御部は、前記第２の紙幣カセットと前記第３の紙幣カセットが、それぞれ紙幣が収納された状態の、新たな第２の紙幣カセットと新たな第３の紙幣カセットに交換されると、前記新たな第３の紙幣カセットに収納されている紙幣を、前記第１の紙幣カセットに移動させるようにした。
【００１３】
このように、紙幣の出金時に、第１の紙幣カセットより第２の紙幣カセットの方から優先的に紙幣を出金することで、第１の紙幣カセットより第２の紙幣カセットの方が収納している紙幣の量が少なくなる。ゆえに、出金過多の場合には、第２の紙幣カセットの方を交換するだけで、紙幣が出金できなくなる状況を回避できる。また、第３の紙幣カセットについては第１及び第２の紙幣カセットに収納する紙幣とは分けて管理する紙幣を収納する為、交換対象とする。こうすることで、紙幣カセットの交換時には、第１乃至第３の紙幣カセットのうち、第２及び第３の紙幣カセットを交換するだけでよく、紙幣カセットを効率的に交換できる。
【００１４】
また、本発明においては、金種ごとに紙幣を収納する少なくとも１つ以上の第１の紙幣カセットと、前記第１の紙幣カセットのうちの１つと同一金種の紙幣を収納する第２の紙幣カセットと、前記第１の紙幣カセット及び前記第２の紙幣カセットに収納する紙幣とは分けて管理する紙幣を収納する第３の紙幣カセットと、出金より入金の方が多い入金過多の場合に、同一金種の紙幣を収納する前記第１の紙幣カセットと前記第２の紙幣カセットとのうち、前記第２の紙幣カセットに優先的に紙幣を入金するよう制御する制御部とを備え、前記第１乃至第３の紙幣カセットのうち、前記第２の紙幣カセットと前記第３の紙幣カセットが交換対象となっていて、操作表示部の操作に応じて入金過多用の装填回収処理を行うことにより前記第１の紙幣カセットに収納されている紙幣を前記第３の紙幣カセットに移動させ、その後、前記第２の紙幣カセットと前記第３の紙幣カセットが、それぞれ新たな第２の紙幣カセットと新たな第３の紙幣カセットに交換されるようにした。
【００１５】
このように、紙幣の入金時に、第１の紙幣カセットより第２の紙幣カセットの方に優先的に紙幣を収納することで、第１の紙幣カセットより第２の紙幣カセットの方が先に収納している紙幣の量が多くなっていく。ゆえに、入金過多の場合には、第２の紙幣カセットの方を交換するだけで、紙幣が入金できなくなる状況を回避できる。また、第３の紙幣カセットについては第１及び第２の紙幣カセットに収納する紙幣とは分けて管理する紙幣を収納する為、交換対象とする。こうすることで、紙幣カセットの交換時には、第１乃至第３の紙幣カセットのうち、第２及び第３の紙幣カセットを交換するだけでよく、紙幣カセットを効率的に交換できる。
【発明の効果】
【００１６】
本発明は、紙幣カセットをより効率的に交換できる自動取引装置を実現できる。
【図面の簡単な説明】
【００１７】
【図１】現金自動預払機の外観構成を示す斜視図である。
【図２】紙幣入出金機の内部構成を示す側面図である。
【図３】優先使用制御の手順を示すフローチャートである。
【図４】出金優先カセット及び交換対象カセットに指定された紙幣カセットと、入金優先カセット及び交換対象カセットに指定された紙幣カセットとを示す側面図である。
【図５】出金過多の場合の紙幣カセット交換手順を示す遷移図である。
【図６】入金過多の場合の紙幣カセット交換手順を示す遷移図である。
【図７】他の実施の形態における現金自動預払機の紙幣カセット構成を示す側面図である。
【図８】従来の紙幣カセット交換手順を示す遷移図である。
【発明を実施するための形態】
【００１８】
以下、発明を実施するための形態について、図面を用いて詳細に説明する。
【００１９】
［１．現金自動預払機の構成］
図１に外観を示すように、現金自動預払機１は、箱状の筐体２を中心に構成されており、例えば金融機関のＡＴＭコーナ等に設置され、顧客との間で入金取引や出金取引等の現金に関する取引を行う。尚、ここでは、現金自動預払機１の筐体２における、利用者が対峙する側を前側とし、その反対を後側とし、前側に対峙した顧客から見て上下左右をそれぞれ上側、下側、左側及び右側と定義する。
【００２０】
この現金自動預払機１は、筐体２の前面上部に、顧客応対部３が設けられている。顧客応対部３は、カード入出口４、入出金口５、操作表示部６、テンキー７及びレシート発行口８等からなり、顧客との間で現金や通帳等を直接やり取りすると共に、取引に関する情報の通知や操作指示の受付を行う部分である。
【００２１】
カード入出口４は、キャッシュカード等の各種カードが挿入又は排出される部分であり、カード入出口４の奥側には、各種カードに磁気記録された口座番号等の読み取りを行うカード処理部（図示せず）が設けられている。入出金口５は、顧客が入金する紙幣が投入されると共に、顧客へ出金する紙幣が排出される部分である。操作表示部６は、取引に際して操作画面を表示するＬＣＤ（Liquid Crystal Display）と、取引の種類の選択、暗証番号や取引金額等を入力するタッチパネルとが一体化されている。テンキー７は、数字等の入力を受け付ける物理的なキーであり、暗証番号や取引金額等の入力操作時に用いられる。レシート発行口８は、取引処理の終了時に取引内容等を印字したレシートを発行する部分である。
【００２２】
筐体２内には、現金自動預払機１全体を統轄制御する主制御部９や、紙幣に関する種々の処理を行う紙幣入出金機１０等が設けられている。主制御部９は、図示しないＣＰＵ（Central Processing Unit）を中心に構成されており、ＲＯＭ（Read Only Memory）、ＲＡＭ（Random Access Memory）、ハードディスクドライブやフラッシュメモリ等でなる記憶部から所定のプログラムを読み出して実行することにより、各部を制御して入金取引や出金取引等の種々の処理を行う。また、図中省略しているが、筐体２内には、現金自動預払機１ごとの現金管理を行う現金管理センタとネットワークを介して接続する為の通信部等も設けられている。
【００２３】
［２．紙幣入出金機の構成］
紙幣入出金機１０は、図２に示すように、箱状の入出金機筐体２０を中心に構成され、制御部２１（図１）が紙幣入出金機１０を統轄制御する。制御部２１は、図示しないＣＰＵを中心に構成され、ＲＯＭ、ＲＡＭ、ハードディスクドライブやフラッシュメモリ等でなる記憶部２２（図１）から所定のプログラムを読み出して実行することにより、各部を制御して入金取引や出金取引等の種々の処理を行う。
【００２４】
紙幣入出金機１０内の上側には、入出金口５と繋がっている入出金部２３と、紙幣の金種や真偽を鑑別する鑑別部２４と、入金紙幣などを一時的に収納する一時保留部２５と、リジェクト庫２６とが設けられている。入出金口５には、図示しないシャッタが設けられていて、このシャッタが開閉することで、入出金口５を露出する又は覆うようになっている。
【００２５】
また、紙幣入出金機１０内の下側には、紙幣を収納する複数（例えば４個）の紙幣カセット２７（２７Ａ〜２７Ｄ）が、前後方向に並べて設けられている。これら４個の紙幣カセット２７Ａ〜２７Ｄは、同一構成であり、それぞれ紙幣を１枚ずつ集積することができ、また、集積した紙幣を１枚ずつ繰り出すことができるようになっている。これら４個の紙幣カセット２７Ａ〜２７Ｄは、最大収納枚数も同一になっている。
【００２６】
尚、現金自動預払機１は、第１の金種である一万円券と第２の金種である千円券についてはリサイクル（入金された紙幣を出金に利用）する一方で、五千円券と二千円券についてはリサイクルしないよう設定されている。尚、リサイクルする紙幣をリサイクル紙幣、リサイクルしない（もしくはできない）紙幣をリサイクル不可紙幣とも呼ぶ。また、現金自動預払機１では、千円券より一万円券の方が利用頻度が高い為、一万円券については１番前の紙幣カセット２７Ａと３番目の紙幣カセット２７Ｃに収納し、千円券については２番目の紙幣カセット２７Ｂに収納するようになっている。また、流通量が少なくリサイクルしない五千円券と二千円券については、まとめて１番後の紙幣カセット２７Ｄに収納するようになっている。
【００２７】
さらに、現金自動預払機１では、１番後の紙幣カセット２７Ｄに、五千円券と二千円券にくわえて、金種は特定できたものの汚れたり破損したりしていてリサイクルできない紙幣（これを汚損紙幣と呼ぶ）も収納するようになっている。つまり、紙幣入出金機１０の紙幣カセット２７Ｄには、五千円券と二千円券と汚損紙幣がリサイクル不可紙幣として収納され、リサイクル不可紙幣を紙幣カセット２７Ａ、２７Ｂ、２７Ｃに収納されるリサイクル紙幣とは分けて管理するようになっている。
【００２８】
因みに、紙幣入出金機１０では、鑑別部２４によって紙幣が汚損紙幣であるかどうかを判別するようになっている。また、鑑別部２４は、金種すら特定できなかったリサイクル不可紙幣をリジェクト紙幣と判別するようになっていて、このリジェクト紙幣がリジェクト庫２６に収納される。リジェクト庫２６は、紙幣カセット２７Ａ〜２７Ｄと比べて、紙幣の最大収納枚数が少なくなっている。
【００２９】
さらに、紙幣入出金機１０の内部には、搬送路２８Ｒを介して各部へ紙幣を搬送する搬送部２８が設けられている。搬送部２８は、図示しないローラやベルト等により、搬送路２８Ｒに沿って紙幣を搬送する。また、搬送路２８Ｒの分岐点にはセレクタ（図示せず）が設けられていて、このセレクタにより紙幣の搬送先を切り替えることができるようになっている。
【００３０】
さらに、紙幣入出金機１０は、４個の紙幣カセット２７（２７Ａ〜２７Ｄ）が設けられている下部が下部ユニット２９として紙幣入出金機１０の後部から、現金自動預払機１の前方または後方に引き出すことができるようになっている。そして、現金自動預払機１では、前方または後方に引き出した下部ユニット２９から任意の紙幣カセット２７を取り出して、取り出した任意の紙幣カセット２７の代わりに、新しい紙幣カセット２７を下部ユニット２９にセットすることで、紙幣カセット２７を交換できるようになっている。尚、紙幣カセット２７の交換手順について詳しくは後述する。
【００３１】
紙幣入出金機１０は、このような構成でなり、鑑別部２４による紙幣の鑑別結果等をもとに、制御部２１が各部を制御して、紙幣の入金処理及び出金処理を行う。
【００３２】
具体的に、現金自動預払機１は、入金取引時、シャッタを開き、顧客によって入出金口５に紙幣が投入されると、シャッタを閉じて、投入された紙幣を入出金部２３から１枚ずつ繰り出して鑑別部２４に搬送する。ここで現金自動預払機１は、鑑別部２４の鑑別結果に基づき入金可能紙幣と判定された紙幣については一時保留部２５に搬送して一時的に収納する一方で、入金に適さない入金不可紙幣と判定された紙幣については入出金部２３へ戻して、シャッタを開くことで顧客に返却する。
【００３３】
その後、顧客との間で入金取引が確定すると、現金自動預払機１は、一時保留部２５に収納している紙幣を鑑別部２４に搬送して鑑別結果を得る。そして、現金自動預払機１は、鑑別部２４によって収納可能紙幣と判定された紙幣については、その金種に対応する紙幣カセット２７（２７Ａ〜２７Ｄ）へ搬送して収納する。尚、汚損紙幣は収納可能紙幣とする。よって、現金自動預払機１は、一万円券については紙幣カセット２７Ａ又は紙幣カセット２７Ｃ、千円券については紙幣カセット２７Ｂ、五千円券、二千円券、汚損紙幣については紙幣カセット２７Ｄに収納する。一方で、金種すら特定できなかったリサイクル不可紙幣（すなわちリジェクト紙幣）と判定された紙幣については、リジェクト庫２６に搬送して保管する。
【００３４】
また、現金自動預払機１は、出金取引時、顧客からの要求金額に応じて必要な金種毎の紙幣枚数を認識し、この金種毎の紙幣枚数に応じて紙幣カセット２７（２７Ａ〜２７Ｃ）から紙幣を繰り出して、鑑別部２４に搬送して鑑別結果を得る。尚、紙幣カセット２７Ｄについては、リサイクル不可の紙幣が収納される為、通常、この紙幣カセット２７Ｄから紙幣が繰り出されることはない。そして、現金自動預払機１は、鑑別部２４によって出金可能紙幣と判定された紙幣については入出金部２３に搬送する一方で、出金に適さない出金不可紙幣（すなわちリジェクト紙幣）と判定された紙幣についてはリジェクト庫２６へと搬送して保管する。尚、紙幣カセット２７Ａ〜２７Ｃから繰り出された紙幣が鑑別部２４によって汚損紙幣と判定された場合には、この汚損紙幣を紙幣カセット２７Ｄへと搬送して収納する。そして、要求金額分の紙幣が入出金部２３に集積されると、現金自動預払機１は、シャッタを開ける。これにより入出金部２３内に集積されている紙幣の受け取りが可能な状態となり、顧客がこの紙幣を受け取る。
【００３５】
現金自動預払機１は、このような手順で、入金処理及び出金処理を行うようになっている。さらに、現金自動預払機１は、入金処理時及び出金処理時に、特定の紙幣カセット２７を優先的に使用する優先使用制御を行うようになっている。この優先使用制御については後述する。
【００３６】
［３．優先使用制御］
優先使用制御は、紙幣入出金機１０の制御部２１が、記憶部２２に記憶されている入出金過多情報に基づいて行う制御である。入出金過多情報は、現金自動預払機１の利用状況が入金過多であるか出金過多であるかを示す情報であり、利用状況に応じて「入金過多」又は「出金過多」と設定されるようになっている。具体的に、現金自動預払機１では、初期設置時に作業員によって、この入出金過多情報の初期設定が行われるようになっている。このとき、現金自動預払機１が入金過多となるか出金過多となるかまだ分からない為、作業員は、入出金過多情報を「入金過多」又は「出金過多」のどちらかに設定する。尚、現金自動預払機１では、初期設置時に、紙幣が収納された紙幣カセット２７Ａ〜２７Ｃと空の紙幣カセット２７Ｄがセットされる。この為、現金自動預払機１では、初期設置時に、作業員によって、紙幣カセット２７Ａ〜２７Ｃのそれぞれに収納されている紙幣の金種と枚数が入力されるようになっていて、入力された金種と枚数を紙幣管理情報として記憶部２２に記憶するようになっている。この紙幣管理情報は、紙幣の入出金時、及び後述する紙幣カセット交換時などに更新されるようになっている。制御部２１は、この紙幣管理情報によって、紙幣カセット２７Ａ〜２７Ｄのそれぞれに収納されている紙幣の金種と枚数、及び現金自動預払機１内の紙幣の有高などを管理するようになっている。
【００３７】
その後、現金自動預払機１の利用が開始されると、入出金過多情報は、現金自動預払機１の利用状況に応じて更新される。具体的に、作業員は、例えば、現金管理センタによって管理されている現金自動預払機１の現在の利用状況を確認して、この利用状況に応じて入出金過多情報を更新する。
【００３８】
尚、このような入出金過多情報の設定は、現金自動預払機１を直接操作して設定するようにしてもよいし、例えば、現金管理センタから現金自動預払機１を遠隔操作するなどして設定するようにしてもよい。また、これに限らず、現金自動預払機１が現在までの利用状況に応じて入出金過多情報を自動的に更新するようになっていてもよい。
【００３９】
紙幣入出金機１０の制御部２１は、このような入出金過多情報に基づいて、優先使用制御を行う。ここで、この優先使用制御の手順について、図３に示すフローチャートを用いて説明する。制御部２１は、入金取引又は出金取引を開始すると、ステップＳＰ１において、記憶部２２に記憶されている入出金過多情報を読み出す。続くステップＳＰ２において、制御部２１は、入出金過多情報が「出金過多」と設定されているかどうかを判定する。
【００４０】
ここで、入出金過多情報が「出金過多」と設定されている場合、制御部２１は、ステップＳＰ３に移り図４（Ａ）に示すように、紙幣カセット２７Ｃと紙幣カセット２７Ｄを、優先して紙幣を出金する出金優先カセットに指定する。
【００４１】
そして、制御部２１は、つづくステップＳＰ４において、今回の取引が出金取引であれば、出金優先カセットから優先して紙幣を出金する。具体的には、例えば一万円券を出金する場合、一万円券を収納している紙幣カセット２７Ａと紙幣カセット２７Ｃのうち、出金優先カセットに指定されている紙幣カセット２７Ｃの方から優先的に出金するように制御する。こうすることで、出金過多の場合、紙幣カセット２７Ａより紙幣カセット２７Ｃの方が先に紙幣の量が少なくなっていく。
【００４２】
尚、紙幣カセット２７Ｄには、通常、五千円券、二千円券、汚損紙幣といったリサイクル不可紙幣が収納されている為、この紙幣カセット２７Ｄから紙幣が出金されることはないが、後述する紙幣カセット交換後に、出金可能な紙幣（一万円券、千円券）だけが収納されている場合がある。この場合に、制御部２１は、この紙幣カセット２７Ｄから、紙幣を優先的に出金するように制御する。尚、例えば、一万円券が、出金優先カセットに指定されている、紙幣カセット２７Ｃと紙幣カセット２７Ｄの両方に収納されている場合、本来リサイクル不可紙幣を収納する紙幣カセット２７Ｄから優先的に出金するように制御すればよい。
【００４３】
これに対して、入出金過多情報が「入金過多」と設定されている場合、制御部２１は、ステップＳＰ２で否定結果を得てステップＳＰ５に移り、図４（Ｂ）に示すように、紙幣カセット２７Ｃと紙幣カセット２７Ｄを、優先して紙幣を入金する入金優先カセットに指定する。
【００４４】
そして、制御部２１は、つづくステップＳＰ６において、今回の取引が入金取引であれば、入金優先カセットに優先して紙幣を入金する。具体的には、例えば一万円券を入金する場合、一万円券を収納する紙幣カセット２７Ａと紙幣カセット２７Ｃのうち、入金優先カセットに指定されている紙幣カセット２７Ｃの方に優先的に入金するように制御する。こうすることで、入金過多の場合、紙幣カセット２７Ａより紙幣カセット２７Ｃの方が先に紙幣の量が多くなっていく。制御部２１は、このような手順により、優先使用制御を行うようになっている。
【００４５】
［４．紙幣カセット交換手順］
次に、現金自動預払機１での紙幣カセット２７の交換手順について説明する。尚、現金自動預払機１では、出金過多の場合と入金過多の場合とで、紙幣カセット交換時の内部処理が異なる。ゆえに、ここでは、まず、出金過多の場合の紙幣カセット２７の交換手順について説明する。
【００４６】
［４−１．出金過多の場合の紙幣カセット交換手順］
出金過多の場合、優先使用制御により、一万円券を収納する紙幣カセット２７Ａと紙幣カセット２７Ｃのうち、出金優先カセットに指定されている紙幣カセット２７Ｃの方が先に紙幣の量が少なくなっていく。ゆえに、図４（Ａ）に示すように、現金自動預払機１では、紙幣カセット２７Ａと紙幣カセット２７Ｃのうち、出金優先カセットに指定されている紙幣カセット２７Ｃが交換対象カセット（すなわち交換される紙幣カセット）となっている。
【００４７】
また、現金自動預払機１では、運用上、金種は特定できたがリサイクルしない紙幣（五千円券、二千円券、汚損紙幣）については、現金管理センタに持ち帰るようになっている。ゆえに、現金自動預払機１では、これら五千円券、二千円券、汚損紙幣を収納する紙幣カセット２７Ｄも交換対象カセットとなっている。つまり、現金自動預払機１では、４個の紙幣カセット２７Ａ〜２７Ｃのうち、２個の紙幣カセット２７Ｃ、２７Ｄが交換されるようになっている。
【００４８】
具体的な紙幣カセット交換手順を図５に示す。図５に示すステップＳＰ２０において、現金自動預払機１の紙幣カセット２７Ｃが空になったとする。尚、図５中では、図面のスペース上、紙幣カセット２７Ａ〜２７Ｄを、それぞれＡ〜Ｄと短縮した符号で示している。続くステップＳＰ２１において、現金管理センタ側で、交換用の新たな紙幣カセット２７Ｃ´（図中Ｃ´）、２７Ｄ´（図中Ｄ´）が用意される。これら紙幣カセット２７Ｃ´、２７Ｄ´には、現金自動預払機１に追加装填する紙幣が収納されている。尚、紙幣カセット２７Ｃ´、２７Ｄ´に収納される紙幣の枚数、つまり現金自動預払機１に追加装填する紙幣の枚数は現金管理センタで管理されるようになっていて、出金過多で紙幣の量が少なくなっている現金自動預払機１に対しては、できるだけ多くの紙幣を追加装填するよう、できるだけ多くの紙幣が収納された紙幣カセット２７Ｃ´、２７Ｄ´を送るようになっている。
【００４９】
ゆえに、図５に示す例では、一万円券の量が少なくなっている現金自動預払機１に対して、できるだけ多くの一万円を追加装填するよう、紙幣カセット２７Ｃ´には、一万円券がほぼ満杯に収納され、紙幣カセット２７Ｄ´には、一万円券と千円券とが、両方合わせてほぼ満杯に収納されている。
【００５０】
このように、追加装填する紙幣が収納された交換用の紙幣カセット２７Ｃ´、２７Ｄ´は、運搬ケース４０に入れられて、警備員により、現金管理センタから現金自動預払機１が設置されているＡＴＭコーナへと運ばれる。また、現金管理センタでは、追加装填する紙幣の金額（金種ごとの枚数）を示すレシート４１を発行するようになっていて、警備員は、運搬ケース４０とともに、このレシート（これをセンタ発行レシートと呼ぶ）４１を持っていく。
【００５１】
ちなみに、現金管理センタでは、現金自動預払機１の利用状況をもとに、紙幣カセット２７Ｃに収納されている紙幣が残り少なくなってきたタイミングに合わせるようにして、定期的に、現金自動預払機１へ交換用の新たな紙幣カセット２７Ｃ´、２７Ｄ´を送るようになっている。
【００５２】
続くステップＳＰ２２において、警備員が、紙幣カセット２７Ｃ、２７Ｄに収納されている紙幣を回収する為に、現金自動預払機１の操作表示部６を操作して、これら紙幣カセット２７Ｃ、２７Ｄに収納されている紙幣の金額（金種ごとの枚数）を示すレシート（これをＡＴＭ発行レシートと呼ぶ）４２を発行させる。次に、警備員が、交換対象カセットでなる紙幣カセット２７Ｃ、２７Ｄを取り出して、代わりに、運搬ケース４０から取り出した交換用の紙幣カセット２７Ｃ´、２７Ｄ´を、現金自動預払機１にセットする。このようにして、紙幣カセット２７Ｃ、２７Ｄと、紙幣カセット２７Ｃ´、２７Ｄ´との交換が行われる。
【００５３】
続くステップＳＰ２３において、警備員が、現金自動預払機１の操作表示部６を操作して、装填回収ユーティリティを起動させる。装填回収ユーティリティは、紙幣カセット２７の交換時に、紙幣の装填又は回収を行う為のソフトウェアであり、例えば、制御部２１によって実行される。
【００５４】
装填回収ユーティリティを起動すると、制御部２１は、例えば記憶部２２に記憶している紙幣管理情報から紙幣カセット２７Ａ、２７Ｂにそれぞれ収納されている紙幣の金種ごとの枚数を取得するとともに、入出金過多情報を参照する。そして、制御部２１は、入出金過多情報が出金過多を示していることから、出金過多用の装填回収処理を行う。
【００５５】
具体的に、制御部２１は、紙幣カセット２７Ｄ´に収納されている紙幣を順に繰り出して鑑別部２４へと搬送する。鑑別部２４へと搬送された紙幣は、鑑別部２４により金種が特定され、その後、金種に応じて、紙幣カセット２７Ａ又は紙幣カセット２７Ｂへと搬送されて収納される。これにより、紙幣カセット２７Ｄ´に収納されていた一万円券が紙幣カセット２７Ａに装填され、紙幣カセット２７Ｄ´に収納されていた千円券が紙幣カセット２７Ｂに装填される。
【００５６】
尚、紙幣カセット２７Ａ、２７Ｂには、それぞれ出金過多の場合の初期枚数が設定されていて、制御部２１は、紙幣の装填時に、この初期枚数を超えない範囲で紙幣を装填するようになっている。この為、紙幣カセット２７Ａ、２７Ｂに残っていた紙幣の枚数によっては、紙幣カセット２７Ｄ´に収納されている紙幣の全てを紙幣カセット２７Ａ、２７Ｂに装填できない場合があり、この場合、一部の紙幣が紙幣カセット２７Ｄ´に残されたままとなる。このようにして紙幣カセット２７Ｄ´に残された紙幣は、出金に利用できる紙幣の為、上述したように、以降、優先的に出金に利用される。
【００５７】
さらに、制御部２１は、操作表示部６に、今回装填する紙幣の金種ごとの枚数を入力するよう指示する画面を表示させる。警備員は、この画面に表示される指示にしたがって、センタ発行レシート４１の記載通りに、今回装填する紙幣の金種ごとの枚数を入力するとともに、リジェクト庫２６に収納されているリジェクト紙幣の金種ごとの枚数を自ら確認したうえでリジェクト紙幣の金種ごとの枚数を入力する。
【００５８】
制御部２１は、装填ユーティリティ起動時に取得した、紙幣装填前に紙幣カセット２７Ａ、２７Ｂのそれぞれに収納されていた紙幣の枚数と、警備員によって入力された、今回装填する紙幣の金種ごとの枚数から、紙幣カセット交換後の現金自動預払機１内の紙幣の有高（これを機内有高と呼ぶ）を算出して、これを例えば通信部を介して現金管理センタに通知する。
【００５９】
紙幣の装填回収処理、及び機内有高の通知が終了すると、制御部２１は、紙幣の装填回収処理を完了した旨を操作表示部６に表示して、装填回収ユーティリティを終了する。
【００６０】
警備員は、操作表示部６を介して紙幣の装填回収処理が完了した旨を確認すると、続くステップＳＰ２４において、現金自動預払機１から取り出した紙幣カセット２７Ｃ、２７Ｄを運搬ケース４０に入れて、ＡＴＭ発行レシート４２とともに現金管理センタに持ち帰る。現金管理センタでは、回収された紙幣カセット２７Ｃ、２７Ｄに収納されている紙幣の金種ごとの枚数と、ＡＴＭ発行レシート４２に記載されている金種ごとの枚数を付き合わせて確認する作業（すなわち現金計数）を行う。
【００６１】
出金過多の現金自動預払機１では、このような手順で、紙幣カセット２７を交換するようになっている。
【００６２】
［４−２．入金過多の場合の紙幣カセット交換手順］
次に、入金過多の場合の紙幣カセット２７の交換手順について説明する。入金過多の場合、優先使用制御により、一万円券を収納する紙幣カセット２７Ａと紙幣カセット２７Ｃのうち、入金優先カセットに指定されている紙幣カセット２７Ｃの方が先に紙幣の量が多くなっていく。ゆえに、図４（Ｂ）に示すように、現金自動預払機１では、紙幣カセット２７Ａと紙幣カセット２７Ｃのうち、入金優先カセットに指定されている紙幣カセット２７Ｃが交換対象カセットとなっている。
【００６３】
また、現金自動預払機１では、出金過多の場合と同様、現金管理センタに持ち帰る五千円券、二千円券、汚損紙幣を収納する紙幣カセット２７Ｄも交換対象カセットとなっている。つまり、現金自動預払機１では、入金過多の場合も、４個の紙幣カセット２７Ａ〜２７Ｃのうち、２個の紙幣カセット２７Ｃ、２７Ｄが交換されるようになっている。
【００６４】
ここで、入金過多の場合の具体的な紙幣カセット交換手順を図６に示す。図６に示すステップＳＰ３０において、現金自動預払機１の紙幣カセット２７Ｃが満杯になったとする。尚、図６中では、図５と同様、紙幣カセット２７Ａ〜２７Ｄを、それぞれＡ〜Ｄと短縮した符号で示している。続くステップＳＰ３１において、現金管理センタ側で、交換用の新たな紙幣カセット２７Ｃ´、２７Ｄ´が用意される。これら紙幣カセット２７Ｃ´、２７Ｄ´は、それぞれ空となっている。つまり、入金過多で紙幣の量が多くなっている現金自動預払機１に対しては、できるだけ多くの紙幣を回収するよう、空の紙幣カセット２７Ｃ´、２７Ｄ´を送るようになっている。
【００６５】
このように、交換用の空の紙幣カセット２７Ｃ´、２７Ｄ´は、運搬ケース４０に入れられて、警備員により、現金管理センタから現金自動預払機１が設置されているＡＴＭコーナへと運ばれる。また、警備員は、運搬ケース４０とともに、現金管理センタで発行されたセンタ発行レシート４１を持っていく。尚、この場合のセンタ発行レシート４１には、例えば、追加装填する紙幣の金額が０円であり、紙幣カセット２７Ｃ´、２７Ｄ´が空であることが示されている。
【００６６】
ちなみに、現金管理センタでは、現金自動預払機１の利用状況をもとに、紙幣カセット２７Ｃが満杯に近くなってきたタイミングに合わせるようにして、定期的に、現金自動預払機１へ交換用の新たな紙幣カセット２７Ｃ´、２７Ｄ´を送るようになっている。
【００６７】
続くステップＳＰ３２において、警備員が、現金自動預払機１の操作表示部６を操作して、装填回収ユーティリティを起動させる。装填回収ユーティリティを起動すると、制御部２１は、入出金過多情報を参照する。そして、制御部２１は、入出金過多情報が入金過多を示していることから、入金過多用の装填回収処理を行う。
【００６８】
具体的に、制御部２１は、紙幣カセット２７Ａと紙幣カセット２７Ｂに収納されている紙幣を順に繰り出して、鑑別部２４を介して紙幣カセット２７Ｄへと搬送して収納していく。つまり、紙幣カセット２７Ａ、２７Ｂから、紙幣カセット２７Ｄへと紙幣を移動させる。この結果、紙幣カセット２７Ｄには、五千円券、二千円券、汚損紙幣と、紙幣カセット２７Ａ、２７Ｂから搬送されてきた一万円券と千円券とが混合して収納された状態となる。
【００６９】
尚、紙幣カセット２７Ａ、２７Ｂには、それぞれ入金過多の場合の初期枚数が設定されていて、制御部２１は、紙幣の移動時に、紙幣カセット２７Ａ、２７Ｂに残っている紙幣が初期枚数以下とならない範囲で、紙幣を移動するようになっている。この為、紙幣カセット２７Ａから紙幣カセット２７Ｄへの紙幣の移動は、紙幣カセット２７Ｄが満杯になるか、紙幣カセット２７Ａに残っている紙幣がこの初期枚数以下となるまで行われる。同様に、紙幣カセット２７Ｂから紙幣カセット２７Ｄへの紙幣の移動も、紙幣カセット２７Ｄが満杯になるか、紙幣カセット２７Ｂに残っている紙幣が初期枚数以下となるまで行われる。
【００７０】
紙幣カセット２７Ａ、２７Ｂから紙幣カセット２７Ｄへの紙幣の移動が終了すると、制御部２１は、紙幣カセット２７Ｃ、２７Ｄに収納されている紙幣の金額（金種ごとの枚数）を示すＡＴＭ発行レシート４２を発行するとともに、操作表示部６に、紙幣カセット２７Ｃ、２７Ｄを交換するよう指示する画面を表示させる。警備員は、この画面に表示される指示にしたがって、現金自動預払機１から、交換対象の紙幣カセット２７Ｃ、２７Ｄを取り出して、代わりに、運搬ケース４０から取り出した交換用の紙幣カセット２７Ｃ´、２７Ｄ´を、現金自動預払機１にセットする。このようにして、紙幣カセット２７Ｃ、２７Ｄと、紙幣カセット２７Ｃ´、２７Ｄ´との交換が行われる。
【００７１】
紙幣カセット２７Ｃ´、２７Ｄ´への交換が完了すると、制御部２１は、操作表示部６に、今回装填する紙幣の金種ごとの枚数を入力するよう指示する画面を表示させる。警備員は、この画面に表示される指示にしたがって、センタ発行レシート４１の記載通りに、今回装填する紙幣の金種ごとの枚数（この場合０枚）を入力する。
【００７２】
これらの入力が完了すると、制御部２１は、今回装填する紙幣の金種ごとの枚数が０枚であること、すなわち紙幣カセット２７Ｃ´、２７Ｄ´が空であることを確認する。具体的には、制御部２１は、例えば紙幣カセット２７Ｃ´、２７Ｄ´から紙幣を繰り出す動作を行っても、紙幣が繰り出されてこない場合に、紙幣カセット２７Ｃ´、２７Ｄ´が空であると判別するようになっている。
【００７３】
紙幣カセット２７Ｃ´、２７Ｄ´が空であることを確認すると、制御部２１は、紙幣カセット２７Ａ、２７Ｂに残っている紙幣の金種ごとの枚数と、警備員によって入力された、装填された紙幣の金種ごとの枚数（０枚）から、現金自動預払機１内の紙幣の有高（これを機内有高と呼ぶ）を算出して、これを例えば通信部を介して現金管理センタに通知する。
【００７４】
紙幣の装填回収処理、及び機内有高の通知が終了すると、制御部２１は、紙幣の装填回収処理を完了した旨を操作表示部６に表示して、装填回収ユーティリティを終了する。
【００７５】
警備員は、操作表示部６を介して紙幣の装填回収処理が完了した旨を確認すると、続くステップＳＰ３３において、現金自動預払機１から取り出した紙幣カセット２７Ｃ、２７Ｄを運搬ケース４０に入れて、ＡＴＭ発行レシート４２とともに現金管理センタに持ち帰る。現金管理センタでは、回収された紙幣カセット２７Ｃ、２７Ｄに収納されている紙幣の金種ごとの枚数と、ＡＴＭ発行レシート４２に記載されている金種ごとの枚数を付き合わせて確認する作業（すなわち現金計数）を行う。
【００７６】
入金過多の現金自動預払機１では、このような手順で、紙幣カセット２７を交換するようになっている。尚、現金自動預払機１では、このように２個の紙幣カセット２７Ｃ、２７Ｄを定期的に交換する以外に、紙幣カセット２７Ａ〜２７Ｄとリジェクト庫２６に収納されている全ての紙幣を回収して新たな紙幣を装填する洗い替えと呼ばれる作業を行うこともできるようになっている。
【００７７】
［５．まとめと効果］
ここまで説明したように、現金自動預払機１では、出金過多の場合に、一万円券を収納する紙幣カセット２７Ａ、２７Ｃのうち、一方の紙幣カセット２７Ｃから優先的に紙幣を出金するようにした。これにより、紙幣カセット２７Ａより紙幣カセット２７Ｃの方が先に一万円券の量が少なくなっていく為、紙幣カセット交換時には、一万円券の量が少なくなっている（例えば空となっている）紙幣カセット２７Ｃを交換する。また、紙幣カセット２７Ｄには、運用上回収することになっている五千円券、二千円券、汚損紙幣を収納するようにして、紙幣カセット交換時には、この紙幣カセット２７Ｄも交換する。
【００７８】
すなわち、現金自動預払機１では、出金過多の場合の紙幣カセット交換時、一万円券の量が少なくなっている（例えば空となっている）紙幣カセット２７Ｃを、現金管理センタ側で用意された、一万円券がより多く収納されている新たな紙幣カセット２７Ｃ´と交換するようにした。これにより、現金自動預払機１内に一万円券が補充されることになり、一万円券が足りなくなって出金できなくなる状況を回避できる。
【００７９】
また、紙幣カセット２７Ｄを、現金管理センタ側で用意された、一万円券と千円券とを合わせて収納している新たな紙幣カセット２７Ｄ´と交換するようにした。そして、現金自動預払機１では、この紙幣カセット２７Ｄ´に収納されている一万円券と千円券を、それぞれ紙幣カセット２７Ａ、２７Ｂに振り分けるようにした。これにより、現金自動預払機１内の一万円券と千円券が補充されることになり、一万円券及び千円券が足りなくなって出金できなくなる状況を回避できる。尚、このとき、紙幣カセット２７Ａ、２７Ｂを満杯にしてしまうと、以降、全く入金ができなくなってしまう為、紙幣カセット２７Ａ、２７Ｂには、それぞれ所定枚数（初期枚数）までしか一万円券と千円券を振り分けないようにした。
【００８０】
このように、現金自動預払機１では、出金過多の場合、４個の紙幣カセット２７Ａ〜２７Ｄのうち、２個の紙幣カセット２７Ｃ、２７Ｄのみを交換するだけで、一万円券及び千円券が足りなくなって出金できなくなる状況を十分回避できる。かくして、現金自動預払機１は、出金過多の場合に、従来のように４個の紙幣カセット２７Ａ〜２７Ｄの全てを交換する場合と比べて、紙幣カセット２７を効率的に交換できる。
【００８１】
また、現金自動預払機１から取り出された紙幣カセット２７Ｃ、２７Ｄは、現金管理センタに回収されることになるが、このとき、例えば紙幣カセット２７Ｃが空であるとすると、現金管理センタ側では、紙幣カセット２７Ｄに収納されている、金額が確定された五千円券、二千円券、汚損紙幣のみを現金計数すればよく、従来のように４個の紙幣カセットのそれぞれに収納されている紙幣を現金計数する場合と比較して、現金計数に要する時間及び手間を軽減することもできる。
【００８２】
また、現金自動預払機１では、入金過多の場合に、一万円券を収納する紙幣カセット２７Ａ、２７Ｃのうち、一方の紙幣カセット２７Ｃに優先的に紙幣を入金するようにした。これにより、紙幣カセット２７Ａより紙幣カセット２７Ｃの方が先に一万円券の量が多くなっていく為、紙幣カセット交換時には、一万円券の量が多くなっている（例えば満杯となっている）紙幣カセット２７Ｃを交換する。また、紙幣カセット交換時には、五千円券、二千円券、汚損紙幣を収納する紙幣カセット２７Ｄも交換する。
【００８３】
さらに、現金自動預払機１では、入金過多の場合の紙幣カセット交換時、一万円券の量が多くなっている（例えば満杯となっている）紙幣カセット２７Ｃを、現金管理センタ側で用意された空の紙幣カセット２７Ｃ´と交換する。これにより、現金自動預払機１内から一万円券が回収されることになり、一万円券が満杯となって入金できなくなる状況を回避できる。
【００８４】
また、現金自動預払機１では、五千円券、二千円券、汚損紙幣を収納している紙幣カセット２７Ｄを、現金管理センタ側で用意された空の紙幣カセット２７Ｄ´と交換する前に、この紙幣カセット２７Ｄに、紙幣カセット２７Ａ、２７Ｂにそれぞれ収納されている一万円券と千円券の一部を移動させ、五千円券、二千円券、汚損紙幣にくわえて一万円券と千円券を収納している紙幣カセット２７Ｄを、空の紙幣カセット２７Ｄ´と交換するようにした。これにより、現金自動預払機１内の一万円券と千円券が回収されることになり、一万円券及び千円券が満杯となって入金できなくなる状況を回避できる。尚、このとき、紙幣カセット２７Ａ、２７Ｂを空にしてしまうと、以降、全く出金ができなくなってしまう為、紙幣カセット２７Ａ、２７Ｂには、それぞれ所定枚数（初期枚数）の一万円券と千円券を残すようにした。
【００８５】
このように、現金自動預払機１では、入金過多の場合、４個の紙幣カセット２７Ａ〜２７Ｄのうち、２個の紙幣カセット２７Ｃ、２７Ｄのみを交換するだけで、一万円券及び千円券が満杯となって入金できなくなる状況を十分回避できる。かくして、現金自動預払機１は、入金過多の場合も、従来のように４個の紙幣カセット２７Ａ〜２７Ｄの全てを交換する場合と比べて、紙幣カセット２７を効率的に交換できる。
【００８６】
さらに、現金自動預払機１では、紙幣カセット交換時に、交換する紙幣カセット２７が、後側の２個の紙幣カセット２７Ｃ、２７Ｄに決まっている為、警備員が、交換する紙幣カセット２７を間違えてしまうことを防ぐようにもなっている。
【００８７】
さらに、現金自動預払機１では、出金過多の場合も入金過多の場合も、交換する紙幣カセット２７の数が従来の半分の２個となる為、警備員が、これら２個の紙幣カセット２７を１個の運搬ケース４０で運ぶことができる。この為、従来のように４個の紙幣カセットを２個の運搬ケースで運ぶ場合と比べて、現金自動預払機１ごとに必要な運搬ケース４０の数が半分となり、例えば、警備員が現金輸送車で運搬ケース４０を運んで紙幣カセット交換作業を行う場合には、１度により多くの現金自動預払機１の紙幣カセット交換作業を行うことができる。
【００８８】
さらに、現金自動預払機１では、リサイクル不可紙幣のうち、金種が特定できた五千円券、二千円券、汚損紙幣については紙幣カセット２７Ｄに収納して金額を確定させ、金種が特定できなかったリジェクト紙幣についてのみリジェクト庫２６に収納するようにした。こうすることで、例えば、金種が特定できた汚損紙幣もリジェクト紙幣としてリジェクト庫２６に収納するような現金自動預払機と比べて、リジェクト庫２６に収納する紙幣の量を減らすことができ、リジェクト庫２６に収納された紙幣の回収頻度を少なくしたり、リジェクト庫２６に収納された紙幣の確認作業の負担を軽減したりすることができる。
【００８９】
［６．他の実施の形態］
［６−１．他の実施の形態１］
尚、上述した実施の形態では、一万円券を収納する２個の紙幣カセット２７Ａ、２７Ｃと、千円券を収納する紙幣カセット２７Ｂと、五千円券、二千円券、汚損紙幣を収納する紙幣カセット２７Ｄの４つの紙幣カセット２７Ａ〜２７Ｄを有する現金自動預払機１に、本発明を適用した。これに限らず、例えば、図７に示すように、一万円券を収納する２個の紙幣カセット１００Ａ、１００Ｃと、千円券を収納する２個の紙幣カセット１００Ｂ、１００Ｄと、五千円券、二千円券、汚損紙幣を収納する紙幣カセット１００Ｅの５つの紙幣カセット１００（１００Ａ〜１００Ｅ）を有する現金自動預払機１０１に、本発明を適用することもできる。
【００９０】
このような現金自動預払機１０１の場合、例えば出金過多の場合には、一万円券を収納する紙幣カセット１００Ｃと、千円券を紙幣する紙幣カセット１００Ｄと、紙幣カセット１００Ｅとを、出金優先カセットに指定するようにして、これら３つの紙幣カセット１００Ｃ〜１００Ｅを、交換対象カセットとする。このようにすれば、現金自動預払機１と同様、紙幣カセット１００を効率的に交換できる。また、同様にして、３個の紙幣カセットを有する現金自動預払機や、６個以上の紙幣カセットを有する現金自動預払機にも、本発明を適用することができる。
【００９１】
［６−２．他の実施の形態２］
また、上述した実施の形態では、現金自動預払機１が、入金過多の場合に装填回収ユーティリティを起動すると、紙幣カセット２７Ａ、２７Ｂに収納されている紙幣を、初期枚数以下にならない範囲で紙幣カセット２７Ｄに移動するようにした。これに限らず、例えば、紙幣の入金時に、紙幣カセット２７Ｃが満杯で、且つ紙幣カセット２７Ａに収納されている一万円券の枚数が初期枚数に達しているのであれば、この時点で、一万円券を紙幣カセット２７Ｄに収納するようにしてもよい。また、同様に、紙幣の入金時に、紙幣カセット２７Ｂに収納されている千円券の枚数が初期枚数に達しているのであれば、この時点で、千円券を紙幣カセット２７Ｄに収納するようにしてもよい。
【００９２】
このようにすれば、装填回収ユーティリティを起動した時点で、紙幣カセット２７Ａ、２７Ｂ、２７Ｄの紙幣収納状況が、紙幣カセット２７Ａ、２７Ｂに収納されている紙幣を初期枚数以下にならない範囲で紙幣カセット２７Ｄに移動したときの紙幣収納状況と同じになる為、装填回収ユーティリティ起動後に行っていた紙幣の移動を省略することができ、紙幣カセット交換に要する時間を短縮することができる。
【００９３】
［６−３．他の実施の形態３］
さらに、上述した実施の形態では、現金自動預払機１が入金過多の場合に、現金管理センタから空の紙幣カセット２７Ｃ´、２７Ｄ´と、追加装填する紙幣の金額が０円であることを示すセンタ発行レシート４１とを現金自動預払機１へ運んで、現金自動預払機１の紙幣カセット２７Ｃ、２７Ｄを、空の紙幣カセット２７Ｃ´、２７Ｄ´と交換するようにした。これに限らず、このように、紙幣カセット２７Ｃ、２７Ｄを、空の紙幣カセット２７Ｃ´、２７Ｄ´に交換する場合には、追加装填する紙幣の金額が必ず０円となる為、現金管理センタによるセンタ発行レシート４１の発行と、現金自動預払機１に対する追加装填する紙幣の金額の入力とを省略するようにしてもよい。
【００９４】
［６−４．他の実施の形態４］
さらに、上述した実施の形態では、リサイクル不可紙幣のうち、金額が確定している五千円券、二千円券及び汚損紙幣と、金額が確定していないリジェクト紙幣とを分けて管理するようにしたが、これに限らず、例えば、紙幣カセット２７Ｄに、全てのリサイクル不可紙幣を収納するようにしてもよい。このようにすれば、紙幣カセット２７Ｄがリジェクト庫としても機能する為、現金自動預払機１からリジェクト庫２６を省略できる。一方で、この場合、紙幣カセット２７Ｄに金額が確定していないリジェクト紙幣が収納される為、紙幣カセット２７Ｄに収納されている紙幣の管理が困難となる。ゆえに、管理上、リサイクル不可紙幣のうち、金額が確定している五千円券、二千円券及び汚損紙幣と、金額が確定していないリジェクト紙幣とを分けて管理する方が望ましい。
【００９５】
［６−５．他の実施の形態５］
さらに、上述した実施の形態では、出金過多の場合には、紙幣カセット２７Ｃ、２７Ｄを出金優先カセットとしたが、紙幣カセット２７Ｄに出金可能な紙幣（一万円券、千円券）が収納されている状況が起こり得ないのであれば、紙幣カセット２７Ｃのみを出金優先カセットとしてもよい。また一方で、入金過多の場合には、紙幣カセット２７Ｃ、２７Ｄを入金優先カセットとしたが、紙幣カセット２７Ｄに紙幣を優先的に収納すべき状況が起こり得ないのであれば、紙幣カセット２７Ｃのみを入金優先カセットとしてもよい。
【００９６】
［６−６．他の実施の形態６］
さらに、上述した実施の形態では、本発明を、自動取引装置としての現金自動預払機１に適用したが、これに限らず、交換可能な複数の紙幣カセットを有する自動取引装置であれば、現金自動預払機１とは異なる構成の自動取引装置にも適用できる。例えば、日本国外の紙幣を扱う自動取引装置であっても、交換可能な複数の紙幣カセットを有する自動取引装置であれば適用できる。また、交換可能な複数の紙幣カセットを有し、少なくとも紙幣カセット２７Ｄと、紙幣カセット２７Ａ、２７Ｂとの間で紙幣を移動させることのできる搬送路を有する自動取引装置であれば、図２に示す搬送路２８とは異なる搬送路を有する現金自動預払機１にも適用できる。
【００９７】
さらに、上述した実施の形態では、現金自動預払機１に、第１の紙幣カセット及び第１金種収納カセットの具体例である紙幣カセット２７Ａと、第１の紙幣カセット及び第２金種収納カセットの具体例である紙幣カセット２７Ｂと、第２の紙幣カセットの具体例である紙幣カセット２７Ｃと、第３の紙幣カセットの具体例である紙幣カセット２７Ｄを設けた。これに限らず、紙幣を収納可能な紙幣カセットであれば、紙幣カセット２７Ａ〜２７Ｄとは異なる構成（例えば前後方向に紙幣を収納する構成）の紙幣カセットを、第１乃至第３の紙幣カセット、及び第１及び第２金種収納カセットとして用いてもよい。
【００９８】
また、上述した実施の形態では、現金自動預払機１に、出金過多の場合に第１の紙幣カセットと第２の紙幣カセットのうち第２の紙幣カセットから優先的に紙幣を出金するよう制御する制御部、及び入金過多の場合に第１の紙幣カセットと第２の紙幣カセットのうち第２の紙幣カセットに優先的に紙幣を入金するよう制御する制御部の具体例である制御部２１を設けた。これに限らず、このような出金優先制御、及び入金優先制御を行う機能を有する制御部であれば、制御部２１とは異なる制御部を現金自動預払機１に設けてもよい。
【００９９】
［６−７．他の実施の形態７］
さらに、本発明は、上述した各実施の形態に限定されるものではない。すなわち本発明は、上述した各実施の形態の一部または全部を任意に組み合わせた実施の形態や、一部を抽出した実施の形態にもその適用範囲が及ぶものである。
【産業上の利用可能性】
【０１００】
本発明は、交換可能な複数の紙幣カセットを有する自動取引装置で広く利用することができる。
【符号の説明】
【０１０１】
１、１０１、２００……現金自動預払機、１０……紙幣入出金機、２１……制御部、２２……記憶部、２４……鑑別部、２６、２０２……リジェクト庫、２７Ａ〜２７Ｄ、２７Ｃ´、２７Ｄ´、１００Ａ〜１００Ｅ、２０１Ａ〜２０１Ｄ、２０１Ａ´〜２０１Ｄ´……紙幣カセット、４０……運搬ケース。
【図１】
0006690303.tif 000002
【図２】
0006690303.tif 000003
【図３】
0006690303.tif 000004
【図４】
0006690303.tif 000005
【図５】
0006690303.tif 000006
【図６】
0006690303.tif 000007
【図７】
0006690303.tif 000008
【図８】
0006690303.tif 000009